(57)【要約】【課題】水田作業機において、農用資材の供給不良を容易に検出することができるように構成する。【解決手段】機体の単位走行距離あたりに供給部１３から繰り出される農用資材の量を設定供給量として設定する設定部２５、設定供給量と走行距離検出部２８の検出値とに基づいて供給部１３から繰り出された農用資材の量を演算繰り出し量として演算する演算部３０、貯留部１２の重量を検出する重量検出部３３，３４，３６、重量検出部３３，３４，３６の検出値に基づいて貯留部１２から繰り出された農用資材の重量を実供給量として検出する供給量検出部３８を備える。演算繰り出し量と実供給量とを比較し、比較の結果に基づいて、農用資材の田面への供給不良を検出する。【選択図】図４
2017112877.tif 000002
【特許請求の範囲】
【請求項１】
農用資材を供給する貯留部と、前記貯留部から農用資材を繰り出す供給部とを備えて、前記供給部から繰り出された農用資材が田面に供給されるように構成し、
機体の走行距離を検出する走行距離検出部と、機体の単位走行距離あたりに前記供給部から繰り出される農用資材の量を設定供給量として設定する設定部と、
前記供給部の農用資材の繰り出し量を調節する繰り出し調節部とを備えており、
前記設定供給量と前記走行距離検出部の検出値とに基づいて、前記供給部から繰り出された農用資材の量を演算繰り出し量として演算する演算部と、
前記貯留部の重量を検出する重量検出部と、
前記重量検出部の検出値に基づいて、前記貯留部から繰り出された農用資材の重量を実供給量として検出する供給量検出部と、
前記演算繰り出し量と前記実供給量とを比較する比較部と、
前記比較部の結果に基づいて、農用資材の田面への供給不良を検出する不良検出部とを備えている水田作業機。
【請求項２】
前記重量検出部の検出値に基づいて、前記貯留部の農用資材の残量を検出する残量検出部を備えている請求項１に記載の水田作業機。
【請求項３】
前記繰り出し調節部が、
前記比較部の結果に基づいて、前記実供給量が前記演算繰り出し量となるように、前記供給部を調節する請求項１又は２に記載の水田作業機。
【請求項４】
前記供給部を駆動する電動モータを備えており、
前記繰り出し調節部が、
前記電動モータの作動を調節することにより、前記実供給量が前記演算繰り出し量となるように前記供給部を調節する請求項３に記載の水田作業機。
【請求項５】
前記重量検出部が、
前記貯留部の重量を支持する油圧シリンダと、前記油圧シリンダに発生する油圧を検出する油圧センサーとを備えて、前記油圧センサーの検出値に基づいて前記貯留部の重量を検出する請求項１〜４のうちのいずれか一つに記載の水田作業機。
【請求項６】
前記貯留部の一方の端部に前記油圧シリンダを備えて、前記貯留部の他方の端部に前記油圧シリンダを備え、
一方及び他方の前記油圧シリンダを油路で接続して、前記油圧センサーにより前記油路の油圧を検出する請求項５に記載の水田作業機。
【請求項７】
前記貯留部に、農用資材の補給用の開閉蓋部を備え、
前記開閉蓋部が開状態に操作された時の前記重量検出部の検出値に基づいて、前記供給量検出部が前記貯留部から繰り出された農用資材の重量を実供給量として検出する請求項５又は６に記載の水田作業機。
【発明の詳細な説明】
【技術分野】
【０００１】
本発明は、田面に粉粒状又は液状の肥料、粉粒状又は液状の薬剤、種子等の農用資材を田面に供給する乗用型田植機や乗用型直播機等の水田作業機に関する。
【背景技術】
【０００２】
水田作業機の一例である乗用型田植機において特許文献１では、機体の後部に、粉粒状の肥料を貯留する貯留部（特許文献１の図１の３１）、及び貯留部の肥料を繰り出す供給部（特許文献１の図１の３２）を備えている。機体の後部のリンク機構に支持された苗植付装置に作溝器（特許文献１の図１の８１）を備えて、供給部と作溝器とに亘ってホース（特許文献１の図１の８２）を接続している。
これにより、機体の進行に伴って作溝器により田面に溝が形成されるのであり、貯留部の肥料が供給部から繰り出され、ホースを通り作溝器に供給されて、作溝器から田面の溝に供給される。
【０００３】
特許文献１では、供給部が、機体の走行速度と同調するように走行系の動力により駆動されるように構成されており、供給部の農用資材の繰り出し量を変更できるように構成されている。これにより、供給部の農用資材の繰り出し量を変更することによって、機体の単位走行距離あたりの供給部の農用資材の繰り出し量を変更することができる。
【先行技術文献】
【特許文献】
【０００４】
【特許文献１】特開２０１１−１２０４８２号公報
【特許文献２】特開２００２−２７８１０号公報
【発明の概要】
【発明が解決しようとする課題】
【０００５】
水田作業機は、水田という水分（湿気）の多い雰囲気の中で作業を行うので、農用資材が水分により固まって詰まりに発展することがある。この場合、作溝器は田面に突入していることにより農用資材が詰まり易いので、作溝器に詰まりセンサーが備えられることが多い。
しかしながら、特許文献１では、供給部と作溝器とが長いホースによって接続されており、ホースに詰まりセンサーは備えられていないので、ホースにおいて農用資材の詰まりが発生すると、農用資材の詰まりの発見が遅れることがある。
【０００６】
乗用型田植機では、特許文献２に開示されているように、貯留部の重量を検出する重量検出部を備えて、貯留部の重量変化を検出し、重量検出部の検出値に基づいて、田面に供給される肥料の量が設定値に維持されるように、供給部の繰り出し量を調節するように構成されたものがある。
【０００７】
本発明は、農用資材を供給する貯留部と、貯留部から農用資材を繰り出す供給部とを備えて、供給部から繰り出された農用資材を田面に供給するように構成した水田作業機において、貯留部の重量を検出する重量検出部を有効に利用することにより、供給部から田面までの間において農用資材の詰まり等の供給不良を容易に検出することができるように構成することを目的としている。
【課題を解決するための手段】
【０００８】
［Ｉ］
（構成）
本発明の第１特徴は、水田作業機において次のように構成することにある。
農用資材を供給する貯留部と、前記貯留部から農用資材を繰り出す供給部とを備えて、前記供給部から繰り出された農用資材が田面に供給されるように構成し、
機体の走行距離を検出する走行距離検出部と、機体の単位走行距離あたりに前記供給部から繰り出される農用資材の量を設定供給量として設定する設定部と、
前記供給部の農用資材の繰り出し量を調節する繰り出し調節部とを備えており、
前記設定供給量と前記走行距離検出部の検出値とに基づいて、前記供給部から繰り出された農用資材の量を演算繰り出し量として演算する演算部と、
前記貯留部の重量を検出する重量検出部と、
前記重量検出部の検出値に基づいて、前記貯留部から繰り出された農用資材の重量を実供給量として検出する供給量検出部と、
前記演算繰り出し量と前記実供給量とを比較する比較部と、
前記比較部の結果に基づいて、農用資材の田面への供給不良を検出する不良検出部とを備えている。
【０００９】
（作用及び発明の効果）
［Ｉ］−１
本発明の第１特徴によると、機体の走行距離を検出する走行距離検出部、並びに、機体の単位走行距離あたりに供給部から繰り出される農用資材の量を設定供給量として設定する設定部を備えており、設定供給量と走行距離検出部の検出値とに基づいて、供給部から繰り出された農用資材の量を演算繰り出し量として演算することができる。
この場合、演算繰り出し量は計算での数値であり、繰り出し調節部により供給部の農用資材の繰り出し量を設定供給量に設定した状態で、供給部から繰り出された農用資材がそのまますべて田面に供給される状態を想定したものである。
【００１０】
［Ｉ］−２
本発明の第１特徴によれば、  貯留部の重量を検出する重量検出部、並びに、重量検出部の検出値に基づいて貯留部から繰り出された農用資材の重量を実供給量として検出する供給量検出部を備えている。
これにより、正常な状態（供給部から繰り出された農用資材がそのまますべて田面に供給される状態）であれば、前項［Ｉ］−１に記載の演算繰り出し量と、前述の実供給量とは合致するはずである。
【００１１】
［Ｉ］−３
本発明の第１特徴によると、前項［Ｉ］−１に記載の演算繰り出し量と、前項［Ｉ］−２に記載の実供給量とを比較することによって、演算繰り出し量と実供給量とが合致すると、正常な状態であると判断できるのであり、演算繰り出し量と実供給量とが合致しないと、正常ではない状態であると判断できる。
正常ではない状態として、供給部と田面との間のどこかで農用資材の詰まりが発生している状態、供給部において農用資材が適正に繰り出されていない状態、供給部において農用資材が漏れ出している状態等が考えられる。
以上のように、演算繰り出し量と実供給量とを比較することによって、供給部から田面までの間において農用資材の詰まり等の供給不良を容易に検出することができるようになる。
【００１２】
［ＩＩ］
（構成）
本発明の第２特徴は、本発明の第１特徴の水田作業機において次のように構成することにある。
前記重量検出部の検出値に基づいて、前記貯留部の農用資材の残量を検出する残量検出部を備えている。
【００１３】
（作用及び発明の効果）
本発明の第２特徴によると、前項［Ｉ］−２に記載のように、貯留部の重量を検出する重量検出部を備えた場合、農用資材を貯留部に満載した状態や、所定量の農用資材を貯留部に搭載した状態、貯留部が空の状態等での貯留部の重量等を、事前に把握しておくことにより、重量検出部の検出値に基づいて、貯留部の農用資材の残量を検出することができる。
これにより、貯留部の重量を検出する重量検出部を、貯留部の農用資材の残量を検出する機能にも使用することができて、構造の簡素化及び機能の効率化を図ることができる。
【００１４】
［ＩＩＩ］
（構成）
本発明の第３特徴は、本発明の第１又は第２特徴の水田作業機において次のように構成することにある。
前記繰り出し調節部が、
前記比較部の結果に基づいて、前記実供給量が前記演算繰り出し量となるように、前記供給部を調節する。
【００１５】
（作用及び発明の効果）
前項［Ｉ］−１に記載のように、演算繰り出し量は、繰り出し調節部により供給部の農用資材の繰り出し量を設定供給量に設定した状態で、供給部から繰り出された農用資材がそのまますべて田面に供給される正常な状態を想定したものである。
本発明の第３特徴のよると、比較部の結果に基づいて実供給量が演算繰り出し量となるように、繰り出し調節部が供給部の農用資材の繰り出し量を設定供給量から多めに調節したり、少なめに調節したりする。
これにより、設定部により、機体の単位走行距離あたりに供給部から繰り出される農用資材の設定供給量を設定した状態において、設定供給量（演算繰り出し量）が実際に田面に供給されるようにすることができて、農用資材の田面への供給性能を向上させることができる。
【００１６】
［ＩＶ］
（構成）
本発明の第４特徴は、本発明の第３特徴の水田作業機において次のように構成することにある。
前記供給部を駆動する電動モータを備えており、
前記繰り出し調節部が、
前記電動モータの作動を調節することにより、前記実供給量が前記演算繰り出し量となるように前記供給部を調節する。
【００１７】
（作用及び発明の効果）
前項［ＩＩＩ］に記載のように、供給部の農用資材の繰り出し量を調節する場合、本発明の第４特徴によると、供給部を駆動する電動モータを備えて、電動モータの作動（回転数等）を調節することにより、供給部の農用資材の繰り出し量を調節するように構成している。
電動モータは電流制御等により容易に作動を調節することができるので、供給部の農用資材の繰り出し量の調節を、容易に且つ精度良く行うことができる。
【００１８】
［Ｖ］
（構成）
本発明の第５特徴は、本発明の第１〜第４特徴の水田作業機のうちのいずれか一つにおいて次のように構成することにある。
前記貯留部の重量を支持する油圧シリンダと、前記油圧シリンダに発生する油圧を検出する油圧センサーとを備えて、前記油圧センサーの検出値に基づいて前記貯留部の重量を検出する。
【００１９】
（作用及び発明の効果）
前項［Ｉ］−２に記載のように、貯留部の重量を検出する重量検出部を備える場合、本発明の第４特徴によると、貯留部の重量を支持する油圧シリンダ、並びに、油圧シリンダに発生する油圧を検出する油圧センサーを備えて、油圧センサーの検出値に基づいて貯留部の重量を検出している。
このように油圧シリンダの油圧によって貯留部の重量を検出することにより、機体の傾斜や振動等の影響を抑えて、貯留部の重量を精度良く検出することができる。
【００２０】
［ＶＩ］
（構成）
本発明の第６特徴は、本発明の第５特徴の水田作業機において次のように構成することにある。
前記貯留部の一方の端部に前記油圧シリンダを備えて、及び前記貯留部の他方の端部に前記油圧シリンダを備え、
一方及び他方の前記油圧シリンダを油路で接続して、前記油圧センサーにより前記油路の油圧を検出する。
【００２１】
（作用及び発明の効果）
水田作業機において、貯留部及び供給部は、比較的大きく長いものに構成されることが多い（特許文献１の図２，３，４参照）。
前項［Ｖ］に記載のように、油圧シリンダの油圧によって貯留部の重量を検出する場合に、本発明の第６特徴によると、貯留部の一方及び他方の端部を支持する油圧シリンダを油路で接続して、油路の圧力を検出するように構成している。
これにより、貯留部が比較的大きく長いものであっても、貯留部の一方の部分の重量や他方の部分の重量に偏ることなく、貯留部の重量を精度良く検出することができる。
【００２２】
［ＶＩＩ］
（構成）
本発明の第７特徴は、本発明の第５又は第６特徴の水田作業機において次のように構成することにある。
前記貯留部に、農用資材の補給用の開閉蓋部を備え、
前記開閉蓋部が開状態に操作された時の前記重量検出部の検出値に基づいて、前記供給量検出部が前記貯留部から繰り出された農用資材の重量を実供給量として検出する。
【００２３】
（作用及び発明の効果）
［ＶＩＩ］−１
水田作業機では、特許文献１に開示されているように、機体の後部に貯留部を備えた場合、機体に搭乗する作業者が貯留部の開閉蓋部に工具等を載せてしまうことがある。
前述の状態について考察すると、貯留部の開閉蓋部を開状態に操作して、貯留部に農用資材を補給するのであり、貯留部の開閉蓋部の開状態では、貯留部の開閉蓋部に工具等は載せられていない（載せることはできない）。
【００２４】
［ＶＩＩ］−２
前項［ＶＩＩ］−１に記載の状態において、本発明の第７特徴によると、貯留部の開閉蓋部が開状態に操作された時の重量検出部の検出値に基づいて、貯留部から繰り出された農用資材の重量を実供給量として検出している。
このように、貯留部の開閉蓋部が開状態に操作された時に、貯留部の重量を検出することにより、貯留部の開閉蓋部に工具等が載せられていない状態において、貯留部の重量を精度良く検出することができる。
【図面の簡単な説明】
【００２５】
【図１】乗用型田植機の全体側面図である。
【図２】乗用型田植機の全体平面図である。
【図３】施肥装置の概略平面図である。
【図４】制御装置と各部との関係を示す図である。
【図５】制御装置による制御の流れを示す図である。
【図６】制御装置による制御の流れを示す図である。
【図７】発明の実施の第１別形態において施肥装置の概略側面図である。
【発明を実施するための形態】
【００２６】
本発明の実施形態における前後方向及び左右方向は、特段の説明がない限り、以下のように記載している。機体の作業走行時における前進側の進行方向が「前」であり、後進側の進行方向が「後」である。前後方向での前向き姿勢を基準として右側に相当する方向が「右」であり、左側に相当する方向が「左」である。
【００２７】
［１］
図１及び図２に示すように、右及び左の前輪１、右及び左の後輪２で支持された機体の後部に、上下揺動自在なリンク機構３が備えられて、リンク機構３を介して６条植型式の苗植付装置５が昇降自在に支持され、リンク機構３を昇降駆動する油圧シリンダ４が備えられて、水田作業機の一例である乗用型田植機が構成されている。
【００２８】
次に、苗植付装置５について説明する。
図１及び図２に示すように、苗植付装置５は、３個の伝動ケース６、伝動ケース６の後部に回転駆動自在に支持された一対の回転ケース７、回転ケース７の両端に備えられた一対の植付アーム８、フロート９及び苗のせ台１０等を備えて構成されている。
【００２９】
図１及び図２に示すように、エンジン１７の動力が、ミッションケース（図示せず）に備えられた静油圧式無段変速装置（図示せず）及び副変速装置（図示せず）を介して、前輪１及び後輪２に伝達されており、静油圧式無段変速装置（図示せず）の動力が、株間変速装置（図示せず）、植付クラッチ（図示せず）からＰＴＯ軸１９を介して、苗植付装置５に伝達される。
これにより、苗のせ台１０が左右に往復横送り駆動されるのに伴って、回転ケース７が回転駆動されて、苗のせ台１０の下部から植付アーム８が交互に苗を取り出して田面に植え付ける。
【００３０】
［２］
次に、施肥装置１１について説明する。
図１及び図２に示すように、運転座席３１の後側において、４個の供給部１３が左右方向に配置されて、粉粒状の肥料（農用資材に相当）を貯留するホッパー１２（貯留部に相当）が、供給部１３の上部に連結されており、施肥装置１１の左端部にブロア１４が備えられている。フロート９に作溝器１５が連結され、６個の作溝器１５が備えられており、供給部１３と作溝器１５とに亘って６本のホース１６が接続されている。
以上のように、ホッパー１２、供給部１３、ブロア１４、作溝器１５及びホース１６等により、施肥装置１１が構成されている。
【００３１】
図３に示すように、ブロア１４に分岐部２６が接続されて、ブロア１４の送風の切換操作用のシャッタ２６ａが分岐部２６に備えられ、分岐部２６と供給部１３の前部とに亘って供給ダクト２７が接続されており、供給部１３の吸入部１３ａが供給ダクト２７に挿入されている。供給部１３の前部の上部に排出部１３ｂ及び排出部１３ｂを開閉するシャッタ（図示せず）が備えられており、分岐部２６から延出された排出ダクト２９が供給部１３の排出部１３ｂに亘って接続されている。
【００３２】
図３に示す状態は、分岐部２６のシャッタ２６ａにより排出ダクト２９の入口を塞いだ状態であり、ブロア１４の送風が供給ダクト２７に供給される作業状態である（供給部１３の排出部１３ｂのシャッタを閉位置に操作しておく）。
作業状態において、ブロア１４の送風が供給ダクト２７を介して供給部１３に供給されており、ホッパー１２から肥料が所定量ずつ供給部１３により繰り出されると、ブロア１４の送風により肥料がホース１６を通って作溝器１５に供給され、作溝器１５を介して田面に供給される。
【００３３】
植付作業が終了した後に、ホッパー１２に残る肥料を回収する場合、図３に示す分岐部２６のシャッタ２６ａにより供給ダクト２７の入口を塞いで、ブロア１４の送風が排出ダクト２９に供給される状態とし、供給部１３の排出部１３ｂのシャッタを開位置に操作して、排出状態を設定する。
これにより、ホッパー１２の肥料が供給部１３の排出部１３ｂから排出ダクト２９に出るのであり、ブロア１４の送風が排出ダクト２９に供給され、排出ダクト２９に出た肥料が送られて排出ダクト２９の排出口２９ａから排出される。
【００３４】
［３］
次に、施肥装置１１の駆動構造について説明する。
図１，２，３に示すように、施肥装置１１の右端部（右端の供給部１３の右端部）に、電動モータ１８及び減速機構２０が備えられている。供給部１３の後部の左右方向に沿って、断面六角状の駆動軸３７が回転自在に支持されており、駆動軸３７の右端部が減速機構２０に接続されている。
【００３５】
図３に示すように、回転に伴って肥料を所定量ずつ繰り出す繰り出しロール（図示せず）が供給部１３に内装されており、供給部１３の繰り出しロールに接続された入力ギヤ１３ｃが供給部１３の左の横側面に備えられている。駆動ギヤ３７ａが駆動軸３７に相対回転自在に取り付けられており、駆動ギヤ３７ａが供給部１３の入力ギヤ１３ｃに咬合している。
【００３６】
図３に示すように、シフト部材３７ｂが駆動軸３７に一体回転及びスライド自在に取り付けられて、シフト部材３７ｂが駆動ギヤ３７ａに咬合する伝動位置及び駆動ギヤ３７ａから離間した遮断位置にスライド自在に構成されており、駆動ギヤ３７ａとシフト部材３７ｂとにより、施肥装置１１の少数条クラッチが構成されている。
【００３７】
以上の構造により、図３に示すように、電動モータ１８の動力が減速機構２０を介して駆動軸３７に伝達されて、駆動軸３７が回転駆動される。駆動軸３７の動力が駆動ギヤ３７ａから供給部１３の入力ギヤ１３ｃに伝達され、供給部１３の繰り出しロールが回転駆動されて、供給部１３から肥料が繰り出される。
【００３８】
この場合、駆動軸３７のシフト部材３７ｂを駆動ギヤ３７ａから離し操作することにより（少数条クラッチを遮断状態に操作することにより）、所望の供給部１３（繰り出しロール）を停止させることができる。
電動モータ１８の回転速度を変更して、供給部１３の繰り出しロールが回転速度を変更することにより、供給部１３の肥料の繰り出し量を調節（変更）することができる。
【００３９】
［４］
次に、制御装置２２に備えられる機能について説明する。
図４に示すように、後輪２の回転数を検出する回転数センサー２１が備えられて、回転数センサー２１の検出値が制御装置２２に入力されている。回転数センサー２１の検出値に基づいて機体の走行速度を検出する走行速度検出部２３、及び、電動モータ１８の作動を調節する繰り出し調節部２４が、制御装置２２にソフトウェアとして備えられている。
【００４０】
機体の装備品として携帯端末２５（設定部に相当）が備えられており、機体の単位走行距離あたりに供給部１３から繰り出される肥料の量を設定供給量として、携帯端末２５において設定することができ、設定供給量が携帯端末２５から制御装置２２に送信される。
回転数センサー２１の検出値に基づいて機体の走行距離を検出（積算）する走行距離検出部２８、設定供給量と走行距離検出部２８の検出値とに基づいて供給部１３から繰り出された肥料の量を演算繰り出し量として演算する演算部３０が、制御装置２２にソフトウェアとして備えられている。
【００４１】
図４に示すように、平面視で枠状の支持フレーム３２に、ホッパー１２及び４個の供給部１３が支持されており、支持フレーム３２が後部の左右方向の横軸芯周りに上下に揺動自在に支持されている。支持フレーム３２の右端部の前部が、上下向きの油圧シリンダ３３（重量検出部に相当）により支持され、支持フレーム３２の左端部の前部が、上下向きの油圧シリンダ３３（重量検出部に相当）により支持されている（貯留部の一方の端部に油圧シリンダを備えて、貯留部の他方の端部に油圧シリンダを備えた状態に相当）。
【００４２】
図４に示すように、右及び左の油圧シリンダ３３が油路３５で接続されて、油路３５の油圧を検出する油圧センサー３４（重量検出部に相当）が備えられており、油圧センサー３４の検出値が制御装置２２に入力されている。重量検出部３６が制御装置２２にソフトウェアとして備えられており、油圧センサー３４の検出値に基づいて重量検出部３６によりホッパー１２の重量が検出される。
【００４３】
図４に示すように、重量検出部３６の検出値に基づいてホッパー１２から繰り出された肥料の重量を実供給量として検出する供給量検出部３８、演算繰り出し量と実供給量とを比較する比較部３９、比較部３９の結果に基づいて肥料の田面への供給不良を検出する不良検出部４０、重量検出部３６の検出値に基づいてホッパー１２の肥料の残量を検出する残量検出部４１が、制御装置２２にソフトウェアとして備えられている。
【００４４】
図１及び図４に示すように、ホッパー１２の上部に、開閉蓋部１２ａが後部の左右方向の横軸芯周りに開閉自在に支持されており、ホッパー１２の開閉蓋部１２ａを開状態に操作することにより、ホッパー１２に肥料を補給する。
ホッパー１２の開閉蓋部１２ａに、開状態及び閉状態を検出する位置センサー４２が備えられており、位置センサー４２の検出値が制御装置２２に入力されている。
【００４５】
［５］
次に、制御装置２２による制御の流れについて図５及び図６に基づいて説明する（その１）。
一つの水田の植付作業の開始前に、携帯端末２５により、機体の単位走行距離あたりに供給部１３から繰り出される肥料の量（一つの水田に供給される肥料の総量）を、設定供給量として設定して、携帯端末２５から設定供給量を制御装置２２に送信する（ステップＳ１）。
【００４６】
次に植付作業を開始すると、回転数センサー２１及び走行速度検出部２３により機体の走行速度が検出されて（ステップＳ２）、供給部１３の肥料の繰り出し量が設定供給量となるように、繰り出し調節部２４により、電動モータ１８の作動が調節される（供給部１３が機体の走行速度と同調して肥料を繰り出す状態）（ステップＳ３）。
この場合、供給部１３から繰り出された肥料がそのまますべて田面に供給される状態を想定している。
【００４７】
同時に、油圧センサー３４及び重量検出部３６により、ホッパー１２の重量が検出されるのであり（ステップＳ４）、重量検出部３６の検出値に基づいてホッパー１２の肥料の残量が残量検出部４１により検出されて、ホッパー１２の肥料の残量が表示パネル（図示せず）に表示される（ステップＳ５）。
【００４８】
同時に、回転数センサー２１及び走行距離検出部２８により、機体の走行距離の検出（積算）が開始される（ステップＳ６）。この場合、後輪２のスリップ率が考慮されて、機体の走行距離の検出（積算）が行われるのであり、苗植付装置５が作動している間（苗植付装置５に動力を伝達する植付クラッチが伝動状態に操作されている間）だけ、機体の走行距離の検出（積算）が行われる。
【００４９】
これにより、植付走行を開始してから機体の走行距離が設定走行距離に達するまでは（ステップＳ７）、供給部１３の肥料の繰り出し量が設定供給量となるように、繰り出し調節部２４により、電動モータ１８の作動が調節される状態（供給部１３が機体の走行速度と同調して肥料を繰り出す状態）（ステップＳ３）が、継続される。
【００５０】
［６］
次に、制御装置２２による制御の流れについて図５及び図６に基づいて説明する（その２）。
植付作業を開始してから機体の走行距離が設定走行距離に達すると（ステップＳ７）、設定供給量と走行距離検出部２８の検出値とに基づいて供給部１３から繰り出された肥料の量が、演算繰り出し量として演算部３０により演算される（ステップＳ８）。
【００５１】
同時に、油圧センサー３４及び重量検出部３６により、ホッパー１２の重量が検出されるのであり（ステップＳ９）、重量検出部３６の検出値に基づいてホッパー１２の肥料の残量が残量検出部４１により検出されて、ホッパー１２の肥料の残量が表示パネル（図示せず）に表示される（ステップＳ１０）。
【００５２】
重量検出部３６の検出値に基づいてホッパー１２から繰り出された肥料の重量（ホッパー１２の重量がどれだけ減少したか）が、実供給量として供給量検出部３８により検出される（ステップＳ１１）。
演算繰り出し量と実供給量とが比較されて（ステップＳ１２）、実供給量が演算繰り出し量となるように、繰り出し調節部２４により、電動モータ１８の作動が調節される（ステップＳ１６）。
【００５３】
次に再び、回転数センサー２１及び走行距離検出部２８により、機体の走行距離の検出（積算）が開始されるのであり（ステップＳ１７）、機体の走行距離が設定走行距離に達すると（ステップＳ１８）、ステップＳ８に移行する。
これによって、前述と同様に演算繰り出し量の演算（ステップＳ８）、ホッパー１２の重量検出（ステップＳ９）、ホッパー１２の肥料の残量の検出及び表示（ステップＳ１０）、実供給量の検出（ステップＳ１１）、演算繰り出し量と実供給量との比較が行われて（ステップＳ１２）、実供給量が演算繰り出し量となるように、繰り出し調節部２４により、電動モータ１８の作動が調節される（ステップＳ１６）。
【００５４】
［７］
次に、制御装置２２による制御の流れについて図５及び図６に基づいて説明する（その３）。
前項［６］に記載のステップＳ８〜Ｓ１６が行われる条件として、機体の走行距離が設定走行距離に達することに加えて、ホッパー１２の開閉蓋部１２ａが開状態に操作された時がある（ステップＳ１９）。
【００５５】
これにより、機体の走行距離が設定走行距離に達する前に、ホッパー１２の開閉蓋部１２ａが開状態に操作されると（ステップＳ１９）、ステップＳ８に移行するのであり、ホッパー１２の開閉蓋部１２ａが開状態に操作された時に、油圧センサー３４及び重量検出部３６により、ホッパー１２の重量が検出される（ステップＳ９）。
【００５６】
前述のように、ホッパー１２の開閉蓋部１２ａが開状態に操作される状態とは、ホッパー１２に肥料が補給される状態である。これにより、ホッパー１２の開閉蓋部１２ａが開状態に操作された後に、ホッパー１２に肥料が補給されると、ホッパー１２に重量が急増するので、ホッパー１２に重量が急増する前の状態（ホッパー１２の開閉蓋部１２ａが開状態に操作された時）において、油圧センサー３４及び重量検出部３６により、ホッパー１２の重量を検出する（ステップ９）。
【００５７】
前述のように、ホッパー１２に肥料が補給されてホッパー１２に重量が急増した場合、この後のホッパー１２の重量検出において、急増したホッパー１２の重量（ピーク値）からホッパー１２の重量がどれだけ減少したかにより、実供給量を検出する。
【００５８】
［８］
次に、制御装置２２による制御の流れについて図５及び図６に基づいて説明する（その４）。
前項［６］［７］において、演算繰り出し量と実供給量とが比較された場合（ステップＳ１２）、供給部１３から肥料が正常に繰り出されていれば、演算繰り出し量と実供給量との差は比較的小さい差である（演算繰り出し量と実供給量とは略同じである）。
【００５９】
演算繰り出し量と実供給量とが比較された場合（ステップＳ１２）、演算繰り出し量と実供給量との差が大きい差となっていれば、不良検出部４０により供給不良と判断されて（ステップＳ１３，Ｓ１４）、ブザーやランプ等により供給不良の報知される（ステップＳ１５）。
供給不良として、例えば演算繰り出し量に対して実供給量が小さすぎると、供給部１３やホース１６及び作溝器１５に肥料の詰まりが発生していると推定できる。
【００６０】
［発明の実施の第１別形態］
前述の［発明を実施するための形態］において、供給部１３を図７に示すように構成してもよい。
図７に示すように、円筒状の供給部１３がホッパー１２の下部に備えられ、繰り出しロール（図示せず）に代えて搬送スクリュー４３が供給部１３に備えられて、搬送スクリュー４３が電動モータ１８及び減速機構２０により回転駆動される。ブロア１４の送風が搬送スクリュー４３の下手側に供給されている。ホッパー１２に、肥料の攪拌用の回転羽根４４及び回転羽根４４を回転駆動する電動モータ４５が備えられている。
【００６１】
図７に示すように、供給部１３の下部に重量センサー４６（ロードセル）（重量検出部に相当）が備えられており、重量センサー４６の検出値に基づいて重量検出部３６によりホッパー１２の重量が検出される。
【００６２】
［発明の実施の第２別形態］
前述の［発明を実施するための形態］［発明の実施の第１別形態］において、前輪１及び後輪２に伝達される動力により、供給部１３（繰り出しロール、搬送スクリュー４３）が駆動されるように構成し、供給部１３の肥料の繰り出し量を電動モータ１８により調節するように構成してもよい。
【００６３】
［発明の実施の第３別形態］
前述の［発明を実施するための形態］［発明の実施の第１別形態］［発明の実施の第２別形態］において、機体の単位走行距離あたりに供給部１３から繰り出される肥料の量を設定供給量として、携帯端末２５において設定することに加えて、携帯端末２５により以下に示す（１）（２）（３）を設定することができるように構成してもよい。
【００６４】
（１）
苗植付装置５において、１組の回転ケース７が２組の植付アーム８が交互に苗を田面に植え付ける間隔（株間）。
（２）
苗植付装置５において、左右に往復横送り駆動される苗のせ台１０の横送り速度。
（３）
植付面積（植付面積を設定することにより、必要な苗の枚数や必要な肥料の量が演算されるのであり、植付作業が進行するのに伴って使用された苗の枚数が演算される）。
【００６５】
［発明の実施の第４別形態］
前述の［発明を実施するための形態］［発明の実施の第１別形態］〜［発明の実施の第３別形態］において、以下に示す処理が行えるコンピュータ（ソフトウェア）を別に備えてもよい。
【００６６】
水田の田起し（代かき）でのトラクタの使用時間（人件費）及び燃料代、植付作業での水道代、苗の使用枚数  肥料の使用量、薬剤の使用量、植付作業後の管理費、収穫作業でのコンバインの使用時間（人件費）及び燃料代、収穫した作物の収穫量及び食味、作物の販売等に基づいて、収支（損益）を演算する。
この場合、植付作業での水道代及び作物の販売以外は、トラクタ、乗用型田植機及びコンバインから各作業ごとにコンピュータに自動的に送信される。
【産業上の利用可能性】
【００６７】
本発明は、粉粒状の肥料を田面に供給する施肥装置ばかりではなく、液状の肥料（農用資材に相当）を田面に供給する施肥装置、種籾（農用資材に相当）を田面に供給する直播装置、粉粒状や液状の薬剤（農用資材に相当）を田面に供給する施薬装置を備えた乗用型田植機や乗用型直播機等の水田作業機に適用できる。
【符号の説明】
【００６８】
１２    貯留部
１２ａ  開閉蓋部
１３    供給部
１８    電動モータ
２４    繰り出し調節部
２５    設定部
２８    走行距離検出部
３０    演算部
３３    重量検出部、油圧シリンダ
３４    重量検出部、油圧センサー
３５    油路
３６    重量検出部
３８    供給量検出部
３９    比較部
４０    不良検出部
４１    残量検出部
【図１】
2017112877.tif 000003
【図２】
2017112877.tif 000004
【図３】
2017112877.tif 000005
【図４】
2017112877.tif 000006
【図５】
2017112877.tif 000007
【図６】
2017112877.tif 000008
【図７】
2017112877.tif 000009